(57)【要約】【課題】配電盤等に設けられた母線にプラグイン式に接続される回路遮断器において、母線からの引き抜き時に、活線での引き抜きを防止するセーフティ機能を簡単な構成で実現する。【解決手段】電圧引外し装置を有する回路遮断器本体２と、配電盤等に設けられた母線に挿抜可能な外部接続端子９ａ〜９ｃを有する端子台３とから成り、端子台３にはマイクロスイッチ１７を内設し、電圧引外し装置のリード線端子ねじ１３を介して電圧引外し装置に直列接続したマイクロスイッチ１７を、外部接続端子９ａ，９ｃに繋がる導体７ａと導体７ｃとの間に接続し、活線状態で回路遮断器が母線から取り外されるとき、外部接続端子９ａ〜９ｃが母線から離れる前に端子台３に設けた検知手段１８により取外しを検知し、マイクロスイッチ１７を作動させて遮断器をトリップさせるように構成した。【選択図】図４
2007048601.tif 000002
【特許請求の範囲】
【請求項１】
電圧引外し装置を有する回路遮断器本体と、配電盤等に設けられた母線に挿抜可能な外部接続端子及びこの外部接続端子と上記回路遮断器本体の各極の端子とを電気的に接続する複数の導体を有する端子台とで構成され、上記配電盤等の取付パネルに装着されて使用されるプラグイン式の回路遮断器において、
上記端子台にはマイクロスイッチが内設され、上記電圧引外し装置の一端は上記マイクロスイッチを介して上記複数の導体のうちの一つに接続され、上記電圧引外し装置の他端は上記複数の導体のうちの他の一つに接続され、上記取付パネルに装着された上記回路遮断器が取り外されるとき、上記外部接続端子が上記母線から離れる前に上記端子台に設けた検知手段により取外しが検知され、上記マイクロスイッチが作動するように構成したことを特徴とする回路遮断器。
【請求項２】
請求項１記載の回路遮断器において、上記検知手段は、上記外部接続端子と上記母線との接続を示す挿入表示ボタンであり、上記挿入表示ボタンは上記回路遮断器を上記母線に挿抜する動作に連動して駆動され、この駆動により上記マイクロスイッチのアクチュエータが作動するように構成したことを特徴とする回路遮断器。
【請求項３】
請求項１記載の回路遮断器において、上記検知手段は、上記回路遮断器を取り外すための取外し補助具が上記端子台に設けられた引抜用穴に挿入されたときに回動する挿入検出レバーであり、上記挿入検出レバーの回動により上記マイクロスイッチのアクチュエータが作動するように構成したことを特徴とする回路遮断器。
【請求項４】
請求項１記載の回路遮断器において、上記検知手段は、上記端子台を上記取付パネルに固定するための端子台締付ねじを覆うねじカバーであり、上記端子台締付ねじを露出させる方向に上記ねじカバーをスライドさせたとき、上記マイクロスイッチのアクチュエータが作動するように構成したことを特徴とする請求項１記載の回路遮断器。
【請求項５】
請求項１〜請求項４のいずれか１項に記載の回路遮断器において、上記電圧引外し装置の一端と上記マイクロスイッチ、及び上記電圧引外し装置の他端とそれに接続される上記導体とが、上記端子台に具備されたリード線端子ねじを介して接続されていることを特徴とする回路遮断器。
【発明の詳細な説明】
【技術分野】
【０００１】
この発明は、配線用遮断器や漏電遮断器などの回路遮断器に関し、詳しくは回路遮断器を配電盤などの母線から外す際の安全を確保するための構造に関するものである。
【背景技術】
【０００２】
配電盤などに回路遮断器を設置する場合に、回路遮断器本体を端子台にねじ止めなどで一体に固着させておき、回路遮断器本体の端子と電気的に接続して端子台に設けられた外部接続端子を、配電盤などに具備された母線に差し込んで、いわゆるプラグイン式に接続することが、盤の簡素化や省スペース化、また回路遮断器の着脱操作の簡便化を図った接続方式として広く採用されている。
【０００３】
このようなプラグイン式の場合の回路遮断器と母線との着脱操作では、回路遮断器が開状態であることが欠かせない。なぜなら、もし閉状態で、かつ通電中の場合に、回路遮断器を着脱すると、その着脱時に母線と外部接続端子間にアークが発生し、安全面において思わぬトラブルを招く恐れがあるからである。
【０００４】
着脱時に回路遮断器を開状態にしておく作業を怠ったときの、いわゆるセーフティ機能に関する技術としては、例えば、回路遮断器を取付台から取り外すときに、接触部が開離する前に取付台側に設けたレバーとばねにより回路遮断器側に具備したトリップ棒を押圧して引外し機構を作動させ、遮断器本体の開閉接触子を機械的に開路させる構造が知られている（例えば、特許文献１参照）。
また、操作片とロック片からなる取外し阻止部材を回路遮断器に具備し、回路遮断器の閉状態に連動してこの取外し阻止部材が駆動することで、回路遮断器の引抜きを防止する構造が知られている（例えば、特許文献２参照）。
【０００５】
【特許文献１】特開平８−２５０００９号公報（第４頁、図１）
【特許文献２】特開平１１−９６８６１号公報（第２頁、図１）
【発明の開示】
【発明が解決しようとする課題】
【０００６】
上記特許文献に示すような従来の回路遮断器では、引外し機構のトリップ棒や取外し阻止部材を遮断器本体側に設けるために、回路遮断器本体内の部品追加や筐体に連絡孔を設けるなどの形状変更が必要であった。回路遮断器はプラグイン式を採用しない場合もあるので、それらと遮断器本体の筐体を共用できれば、それだけ筐体の種類を少なくできコストを削減できる。しかしながら、上記のような筐体に加工を必要とするものでは、筐体を共用しようとすれば、プラグイン式を採用しない他の多数の回路遮断器でコストアップとなる。また、筐体を共用しない場合でも、回路遮断器には定格電流や遮断容量などの違いにより膨大な仕様が存在することから、従来の回路遮断器ではセーフティ機能対応のためにいくつもの回路遮断器本体を準備しておく必要があった。
【０００７】
また、トリップ部材を機械的に作動させる、いわゆる強制トリップ機構では、無通電状態であっても、あるいは回路遮断器が開状態であっても、引抜き時に必ずトリップ機構を作動させるため、不必要に開閉寿命を減らしてしまうという問題があった。更に、特許文献２のような取外し阻止部材を用いた場合では、通常の開閉操作においても、不必要に取外しの解除・再ロックを繰り返すことになり、操作荷重の増加やロック機能の信頼性対策などが必要であった。
【０００８】
この発明は、上記のような課題を解決するためになされたもので、プラグイン式を採用した回路遮断器（以下、単に回路遮断器と称す）において、回路遮断器の本体部分の形状を変更することなく、簡単な構成で、活線での母線からの引き抜きを防止するセーフティ機能を得ることを目的とする。
【課題を解決するための手段】
【０００９】
この発明に係る回路遮断器は、電圧引外し装置を有する回路遮断器本体と、配電盤等に設けられた母線に挿抜可能な外部接続端子及びこの外部接続端子と回路遮断器本体の各極の端子とを電気的に接続する複数の導体を有する端子台とで構成され、配電盤等の取付パネルに装着されて使用されるプラグイン式の回路遮断器において、端子台にはマイクロスイッチが内設され、電圧引外し装置の一端はマイクロスイッチを介して複数の導体のうちの一つに接続され、電圧引外し装置の他端は複数の導体のうちの他の一つに接続され、取付パネルに装着された回路遮断器が取り外されるとき、外部接続端子が母線から離れる前に端子台に設けた検知手段により取外しが検知され、マイクロスイッチが作動するように構成したものである。
【発明の効果】
【００１０】
この発明の回路遮断器によれば、母線に挿抜可能に接続される外部接続端子に接続されている２つの導体間に、回路遮断器本体に具備した電圧引外し装置と端子台に内設したマイクロスイッチとを直列に接続して挿入し、回路遮断器が母線から取り外される動作を検知手段で検知して、外部接続端子が母線から離れる前にマイクロスイッチを作動させるようにしたので、回路遮断器本体の筐体に特別な加工を加えることなく、簡単な構成で、引き抜き時のセーフティ機能が得られる回路遮断器を提供することができる。
【発明を実施するための最良の形態】
【００１１】
実施の形態１．
図１はこの発明の実施の形態１における回路遮断器の取付けを示す斜視図、図２は図１においてＡ方向から見た正面図、図３は図１おいてＢ方向から見た側面図であり一部断面を示している。図４は図１においてＣ方向から見た背面図、図５は図４の要部詳細図である。また、図６は図１において回路遮断器本体を外した状態でＡ方向から見た端子台の正面図、図７はこの発明の実施の形態１における回路模式図である。
【００１２】
先ず図１により回路遮断器１の全体と取り付けについて説明する。通常、配電盤（図示せず）等の内部には、母線３１が並設されているとともに、一般にアングルと呼ばれる枠が縦横に張り巡らされている。枠には取付用の孔が設けられており、回路遮断器１はこの取付孔を利用して枠に設置される。そこで、本発明ではこの枠のことを取付パネル３２と呼ぶことにする。
【００１３】
回路遮断器１は、回路遮断器本体２と端子台３とで構成されており、これらは図示しないねじにより一体に固定されている。端子台３には後述の外部接続端子９ａ，９ｂ，９ｃを収納する外部接続端子収納部４が一体成形で設けられており、外部接続端子９ａ〜９ｃが母線３１に挿入されて電気的接続が完了し、更に端子台３に設けた端子台取付穴３ａに端子台締付ねじ３３を通して取付パネル３２に締め付けて固定される。なお、このように外部接続端子９ａ〜９ｃによって回路遮断器１を母線３１に挿抜可能に接続することを、一般に、プラグイン式接続と呼んでいる。
【００１４】
次に回路遮断器１の構成について更に詳しく説明する。図３の側面図に示すように、回路遮断器本体２には、電源側端子５ａ，５ｂ，５ｃとそれに対応して負荷側端子６ａ，６ｂ，６ｃが設けられている。電源側端子５ａ，５ｂ，５ｃには、端子台３に内設された導体７ａ，７ｂ，７ｃが、端子ねじ８で電気的に接続されている。そして、負荷側端子６ａ，６ｂ，６ｃは通常の接続、すなわち、回路遮断器１が設置された後、例えば負荷側導体３４が接続されるようになっている。
なお、各端子の各符号の添字（ａ，ｂ，ｃ）は極の識別を表しており、本実施の形態の回路遮断器１は３極品の場合を示しているが、これに限定するものではない。
【００１５】
端子台３には、先にも述べたように、外部接続端子９ａ，９ｂ，９ｃを収納する外部接続端子収納部４が一体成形で設けられており、この外部接続端子収納部４に収納された外部接続端子９ａ，９ｂ，９ｃが、導体７ａ，７ｂ，７ｃと端子ねじ１０で電気的に接続されている。図６は端子台３から回路遮断器本体２を外して本体側から見た図であるが、母線３１と導体７ａ，７ｂ，７ｃの方向が略直交しているので、図に示すように、各導体７ａ〜７ｃの長さは、各母線３１の並設位置に合わせて異なっている。
なお、上述の外部接続端子９ａ〜９ｃは、母線３１を挟持接続するためのばね力を有するクリップ端子を備えて成るが、本発明の主要部ではないので詳細説明は省略する。
【００１６】
回路遮断器本体２には、図２及び図３に示すように、回路遮断器本体２を遠方から電気的にトリップさせることができる電圧引外し装置１１が内蔵されている。なお、この電圧引外し装置１１の内部構成などは、この発明の要部を成すものではないので、図２及び図３共に、その外郭を破線で示している。この電圧引外し装置１１には電圧を印加するためのリード線１２が具備されており、この２本のリード線１２は、それぞれ端子台３に設けられたリード線端子ねじ１３で固定されている。図４の背面図に示すように、電圧引外し装置１１の一端はリード線端子ねじ１３の一方を介し、中継リード線１４によって端子台３に内設されたマイクロスイッチ１７の一端１７ｂ（図５も参照）に接続されている。そして、マイクロスイッチ１７の他端１７ａは中継リード線１５によって導体７ａに接続されている。また、電圧引外し装置１１の他端はリード線端子ねじ１３の他方を介し、中継リード線１６によって導体７ｃに電気的に接続されている。
【００１７】
マイクロスイッチ部の詳細を図５に示す。図５は図４の線Ｄ−Ｄに沿う断面図である。
図に示すように、端子台３には、マイクロスイッチ１７のアクチュエータ１７ｃ近傍に、突起１８ｂを備えた挿入表示ボタン１８が設けられており、回路遮断器１が母線３１に接続されていない状態では、コイルばね１９により図中Ｅ方向に付勢されて、図のような状態にある。この挿入表示ボタン１８の一端（図では上端）は、回路遮断器１が母線３１に接続されたときに母線３１と当接する当接面１８ａとなる。従って、図４に示すように、外部接続端子９ａに挿入される母線３１の投影線上に、この当接面１８ａが配置されている。また、コイルばね１９に抗して当接面１８ａがＦ方向に押されたときは、アクチュエータ１７ｃが突起１８ｂで押圧されると共に、挿入表示ボタン１８の他端（図では下端）側の表示部１８ｃが端子台３の面より突出するようになっている。
なお、図５の状態、すなわち、回路遮断器１が母線３１に接続されていない状態では、中継リード線１４−１５間は導通状態とすることから、マイクロスイッチ１７の一端１７ａもしくは他端１７ｂはｂ接点端子となる。
【００１８】
以上のように構成された回路遮断器１の回路を模式的に表したのが図７である。図のように、回路遮断器本体２に設けられている電圧引外し装置１１には、通常、回路遮断器本体２の開閉状態に連動した焼損防止スイッチ１１ｂが備わっている。マイクロスイッチ１７はこの焼損防止スイッチ１１ｂに直列に接続される。電圧引外し装置１１は、外部から信号を与えることによりコイル１１ａに電流が流れて励磁され、その電磁力で開閉機構を作動させて回路遮断器１をトリップさせるものである。焼損防止スイッチ１１ｂは、トリップ動作に連動して作動し、励磁電流を絶ってコイル１１ａの焼損を防ぐもので、回路遮断器１がトリップ又は開状態で開くように構成されている。
【００１９】
次に、回路遮断器１の挿入時の動作、および本発明の主旨とするところの回路遮断器１の引き抜き時のセーフティ機能について説明する。回路遮断器１の母線３１への挿入を開始すると、先ず、外部接続端子９ａ、９ｂ、９ｃが母線３１に当接し電気的に接続され、続いて挿入表示ボタン１８の当接面１８ａが母線３１と当接する。更に挿入していくと挿入表示ボタン１８が図５のＦ方向に押され、突起１８ｂがマイクロスイッチ１７のアクチュエータ１７ｃを押し、マイクロスイッチ１７の図示しない接点が切り換わる。この結果、中継リード線１４および１５間は非導通状態となる。
【００２０】
また、Ｆ方向に押された挿入表示ボタン１８は、端子台３の表示孔３ｂ（図１または図２も参照）から先端の表示部１８ｃが突出するので、外部から挿入が完了したことを目視で確認することができる。こののち、回路遮断器１を閉状態にすると、焼損防止スイッチ１１ｂ（図７参照）が閉じて導通状態となる。
【００２１】
次に、回路遮断器の引き抜き時の動作について説明する。上記の状態で母線３１が活線状態、すなわち通電開始後、回路遮断器１を母線３１から外そうとすると、母線３１によって図５のＦ方向に押されていた挿入表示ボタン１８が、コイルばね１９によってＥ方向に戻ろうとする。すると、アクチュエータ１７ｃの押圧が解除されて元に戻るので、マイクロスイッチ１７が再度切り換わり、中継リード線１４および１５間が導通状態となり、電圧引外し装置１１に母線３１間の電圧が印加され、回路遮断器１がトリップ状態となり、焼損防止スイッチ１１ｂは開となる。
上記は活線状態からの引き抜き動作であるが、非活線状態、すなわち通電が行われていない状態や、回路遮断器１がトリップもしくは開状態で引き抜いた場合では、焼損防止スイッチ１１ｂが開いているので、電圧引外し装置１１に母線３１間の電圧が印加されることはなく、不要なトリップ動作をさせることはない。
【００２２】
なお、この実施の形態１では、中継リード線１５を導体７ａに、中継リード線１６を導体７ｃに、それぞれ接続したが、これまでの説明で明らかなように、中継リード線１５および１６が同電位にならなければ、接続先は導体７ａおよび７ｃに限定されないことは言うまでもない。
【００２３】
以上のように本実施の形態の発明によれば、母線に挿抜可能に接続する外部接続端子に接続した２つの導体間に、回路遮断器本体に具備した電圧引外し装置と端子台に内設したマイクロスイッチとを直列に接続して挿入し、回路遮断器を母線から引き外す動作を検知手段で検知してマイクロスイッチを作動させるようにしたので、活線状態で回路遮断器を母線から引き外そうとする場合、外部接続端子が母線から電気的に離れる前に、回路遮断器がトリップ状態となるので、母線と外部接続端子間にアークが発生せず、例えば、作業者がこのアークを被るといった事故を未然に防ぐことができる。
また、非活線状態で引き抜いた場合では、電圧引外し装置に母線間の電圧が印加されないので、不要なトリップ動作をさせることがなく、特に回路遮断器の開閉寿命の点で信頼性が向上する。
また、電圧引外し装置は、一般に、使用者側が後付けで簡単に着脱できる付属装置の一種であることから、回路遮断器本体の筐体等に特別な形状変更を加えずに、このセーフティ機能を実現させることができ、回路遮断器のコストアップを最小限に抑えることが可能となる。
【００２４】
更にまた、引外しの検知手段を挿入表示ボタンとしたので、回路遮断器と母線との着脱状況を外部から容易に目視で確認でき、安全性を高めることができる。
【００２５】
実施の形態２．
図８は実施の形態２による回路遮断器の裏面図であり、実施の形態１の図４に相当する図である。回路遮断器全体の斜視図は実施の形態１の図１と、正面図は図２と、側面図は図３とそれぞれ同等なので、それらの図面を適宜参照しながら、同等部分は同一符号で示して説明は省略し、相違点を中心に説明する。
実施の形態１では、回路遮断器を母線から外そうとする「直前」に、回路遮断器がトリップ状態となるように構成されていたが、本実施の形態では、母線から外す「前」に、回路遮断器をトリップ状態にするように構成したものである。
【００２６】
図８の裏面図に示すように、実施の形態１と同様に、端子台３にはマイクロスイッチ１７が内設されており、導体７ａと導体７ｃとの間に、リード線端子ねじ１３を介して電圧引外し装置１１とマイクロスイッチ１７が直列に接続されている。
マイクロスイッチ１７の接点は、回路遮断器１が母線３１に挿入された状態では、中継リード線１４−１５間が非導通状態となるように、一端１７ａまたは他端１７ｂをａ接点端子としている。そして、マイクロスイッチ１７を作動させるための挿入検出レバー２０が、端子台３に回動可能に設けられている。常時（回路遮断器１を母線に挿入時）は図の状態にあり、一端側２０ａを外力で矢印方向に回動させることにより、突起２０ｂがアクチュエータ１７ｃを押圧するように構成されている。一端側２０ａの位置に合わせて端子台３に引抜用穴２１が設けられている。なお、この挿入検出レバー２０は、母線３１に接続された回路遮断器１の取り外し動作を検知する検知手段の役目をする。
【００２７】
動作を説明する前に引抜用穴２１の作用につい説明する。プラグイン式の回路遮断器１は、通電の信頼性確保のため、外部接続端子９ａ〜９ｃと母線３１間は、大きな接触圧力で接触した状態で接続されている。このため、取付パネル３２（図１参照）と端子台３の間の端子台側に引抜用穴２１（図１も参照）を設けておき、回路遮断器１を引き抜く際には、この引抜用穴２１に例えばスクリュードライバーなどの取外し補助具を挿入し、それを梃にして回路遮断器１を持ち上げるのが一般的なやり方である。
【００２８】
次に、回路遮断器の取外し動作について説明する。上述のように、回路遮断器１を外すために、作業者が引抜用穴２１に取外し補助具を挿入すると、挿入検出レバー２０の一端側２０ａが押されて矢印方向に回動し、突起２０ｂがアクチュエータ１７ｃを押し、マイクロスイッチ１７の接点が切り換わり、中継リード線１４−１５間が導通する。このとき活線状態であれば、電圧引外し装置１１に母線３１間の電圧が印加されるので、回路遮断器１がトリップ状態となる。従って、作業者のこれ以降の引抜作業が安全となる。
【００２９】
以上のように、本実施の形態の発明によれば、回路遮断器の引外しを検知する検知手段を、回路遮断器を取り外すための取外し補助具が、端子台の引抜用穴に挿入されたときに回動する挿入検出レバーとし、挿入検出レバーの回動によりマイクロスイッチのアクチュエータを作動させるように構成したので、実施の形態１と同様に、活線状態で回路遮断器を母線から外そうとすると、外部接続端子が母線から電気的に離れる前に、回路遮断器がトリップ状態となるので、回路遮断器を安全に取り外すことができる。
またこのセーフティ機構を簡単な構成で実現できるので、回路遮断器のコストアップを最小限に抑えることが可能となる。
【００３０】
実施の形態３．
図９は実施の形態３による回路遮断器の裏面図であり、実施の形態１の図４，又は実施の形態２の図８に相当する図である。回路遮断器全体の斜視図は実施の形態１の図１と、正面図は図２と、側面図は図３とそれぞれ同等なので、それらの図面と説明は省略し、相違点を中心に説明する。なお、図９において、太矢印Ｇ方向から見た部分側面図を「視Ｇ」として右側に示している。
【００３１】
図９の裏面図において、端子台３の裏面へのマイクロスイッチ１７の取付状況は、実施の形態２の図８と同様である。異なるのは、回路遮断器１の取外し時に取外しを検知する検知手段の形状と操作方法である。
本実施の形態の検知手段は、端子台３に設けたねじカバー２２である。ねじカバー２２の一端の摺動部２２ａはマイクロスイッチ１７のアクチュエータ１７ｃと係合可能に、他端は端子台３の端子台取付穴３ａを正面側から覆って塞ぐことができるように一体で形成されており、端子台３に図の矢印方向にスライド自由に装着されている。
【００３２】
次に動作について説明する。実施の形態１で述べたように、回路遮断器１は端子台締付ねじ３３（図１も参照）によって取付パネル３２に取り付けられるので、回路遮断器１を引き抜く場合には、前もって、この端子台締付ねじ３３を外しておく必要がある。そこで、この端子台締付ねじ３３に着目し、回路遮断器１を引き抜く際に、端子台締付ねじ３３を緩めるために、ねじカバー２２を矢印方向にスライドさせたとき、摺動部２２ａがアクチュエータ１７ｃを押すように構成したものである。この動作によってマイクロスイッチは閉じられ、実施の形態２と同様に、活線状態では電圧引外し装置１１が作動して回路遮断器１がトリップ状態となる。
【００３３】
以上のように、本実施の形態の発明によれば、回路遮断器の取外しの検知手段は、端子台を取付パネルに固定するための端子台締付ねじを覆うねじカバーとし、端子台締付ねじを露出させる方向にねじカバーをスライドさせたとき、マイクロスイッチのアクチュエータが作動するように構成したので、実施の形態１と同様に、活線状態で回路遮断器を母線から外そうとすれば、外部接続端子が母線から電気的に離れる前に回路遮断器がトリップ状態となるので、簡単な構成で作業者の引抜作業の安全性を向上させることができる。
【００３４】
また、実施の形態１〜３の発明において、電圧引外し装置の一端とマイクロスイッチ、及び電圧引外し装置の他端とそれに接続される導体とが、端子台に具備されたリード線端子ねじを介して接続されるようにしたので、端子台に内設したマイクロスイッチと電圧引外し装置を簡単に接続できると共に、リード線端子ねじを利用して、例えば、必要に応じてヒューズ等の部品を簡単に付加することができる。
【図面の簡単な説明】
【００３５】
【図１】この発明の実施の形態１における回路遮断器の斜視図である。
【図２】図１において、Ａ方向から見た正面図である。
【図３】図１において、Ｂ方向から見た側面図である。
【図４】図１において、Ｃ方向から見た背面図である。
【図５】図４において、線Ｄ−Ｄに沿う断面図である。
【図６】図１において、回路遮断器本体を外した状態で、Ａ方向から見た図である。
【図７】この発明の実施の形態１における回路模式図である。
【図８】この発明の実施の形態２における回路遮断器の背面図である。
【図９】この発明の実施の形態３における回路遮断器の背面図である。
【符号の説明】
【００３６】
１  回路遮断器                      ２  回路遮断器本体
３  端子台                        ３ａ  端子台取付穴
７ａ，７ｂ，７ｃ  導体            ９ａ，９ｂ，９ｃ  外部接続端子
１１  電圧引外し装置                １３  リード線端子ねじ
１４，１５，１６  中継リード線      １７  マイクロスイッチ
１７ｃ  アクチュエータ              １８  挿入表示ボタン
２０  挿入検出レバー                ２１  引抜用穴
２２  ねじカバー                    ３１  母線
３２  取付パネル                    ３３  端子台締付ねじ。
【図１】
2007048601.tif 000003
【図２】
2007048601.tif 000004
【図３】
2007048601.tif 000005
【図４】
2007048601.tif 000006
【図５】
2007048601.tif 000007
【図６】
2007048601.tif 000008
【図７】
2007048601.tif 000009
【図８】
2007048601.tif 000010
【図９】
2007048601.tif 000011